(57)【要約】【課題】Ｄ級増幅器を搭載したオーディオ信号増幅装置において、オーディオ信号を小音量で再生する場合にＤ級増幅器のスイッチングノイズによるリニアリティの悪化を防止することが可能なオーディオ信号増幅装置およびオーディオ信号増幅方法を提供することを目的とする。【解決手段】切替部１１３は、ＳＷ回路１０７Ａ，Ｂ，Ｃを介して、音量ボリューム位置＜閾値Ｎ１の場合にはアナログアンプ１０５を選択して動作させる一方、音量ボリューム位置≧閾値Ｎ１の場合にはクラスＤアンプ１０６を選択して動作させる。【選択図】        図１
2007096507.tif 000002
【特許請求の範囲】
【請求項１】
オーディオ信号をＤ級増幅して出力するＤ級増幅手段と、
前記オーディオ信号をアナログ増幅して出力するアナログ増幅手段と、
音量レベルを検出する検出手段と、
前記検出手段により検出した音量レベルに応じて前記Ｄ級増幅手段または前記アナログ増幅手段を選択して動作させる選択手段と、
を備えたことを特徴とするオーディオ信号増幅装置。
【請求項２】
アナログオーディオ信号入力端子から入力されるアナログオーディオ信号をＡ／Ｄ変換して、デジタルオーディオ信号を出力するＡ／Ｄ変換器と、
デジタルオーディオ信号入力端子から入力されるデジタルオーディオ信号をＤ／Ａ変換して、アナログオーディオ信号を出力するＤ／Ａ変換器と、
を備え、
前記Ｄ級増幅手段は、前記デジタルオーディオ信号をＤ級増幅して出力し、
前記アナログ増幅手段は、前記アナログオーディオ信号をアナログ増幅して出力することを特徴とする請求項１に記載のオーディオ信号増幅装置。
【請求項３】
前記検出手段は、音量ボリューム装置の音量ボリュームを検出し、
前記選択手段は、前記音量ボリュームが第１閾値以上の場合には前記Ｄ級増幅手段を選択して動作させる一方、前記音量ボリュームが前記第１閾値未満の場合にはアナログ増幅手段を選択して動作させることを特徴とする請求項１または請求項２に記載のオーディオ信号増幅装置。
【請求項４】
前記検出手段は、前記アナログ増幅手段への入力レベルを検出し、
前記選択手段は、前記アナログ増幅手段への入力レベルが第２閾値以上の場合には前記Ｄ級増幅手段を選択して動作させる一方、前記入力レベルが前記第２閾値未満の場合には前記アナログ増幅手段を選択して動作させることを特徴とする請求項１または請求項２に記載のオーディオ信号増幅装置。
【請求項５】
前記検出手段は、前記Ｄ級増幅手段への入力レベルを検出し、
前記選択手段は、前記Ｄ級増幅手段への入力レベルが第３閾値以上の場合には前記Ｄ級増幅手段を選択して動作させる一方、前記入力レベルが前記第３閾値未満の場合には前記アナログ増幅手段を選択して動作させることを特徴とする請求項１または請求項２に記載のオーディオ信号増幅装置。
【請求項６】
前記検出手段は、前記アナログ増幅手段または前記Ｄ級増幅手段のうち少なくとも一方からの出力レベルを検出し、
前記選択手段は、前記出力レベルが第４閾値以上の場合には、前記Ｄ級増幅手段を選択して動作させる一方、前記出力レベルが前記第４閾値未満の場合には前記アナログ増幅手段を選択して動作させることを特徴とする請求項１または請求項２に記載のオーディオ信号増幅装置。
【請求項７】
前記検出手段は、前記アナログ増幅手段の出力振幅の歪みを検出し、
前記選択手段は、前記出力振幅の歪みが第５閾値以上の場合には前記Ｄ級増幅手段を選択して動作させる一方、前記当該出力振幅の歪みが前記第５閾値未満の場合にはアナログ増幅手段を選択して動作させることを特徴とする請求項１または請求項２に記載のオーディオ信号増幅装置。
【請求項８】
前記選択手段は、前記Ｄ級増幅手段または前記アナログ増幅手段を選択する際、選択されなかった一方の動作を停止させることを特徴とする請求項１〜請求項７のいずれか１つに記載のオーディオ信号増幅装置。
【発明の詳細な説明】
【技術分野】
【０００１】
本発明は、オーディオ信号増幅装置に関し、詳細には、Ｄ級アンプおよびアナログアンプを搭載したオーディオ信号増幅装置に関する。
【背景技術】
【０００２】
近時、オーディオ装置においては、高電力効率のＤ級（クラスＤ）増幅器を備えたものが普及している。かかるオーディオ装置では、クラスＤ増幅器によりＦＭラジオの復調信号、ＣＤ再生信号、ＤＶＤ再生信号、またはＭＤ再生信号等を増幅して、スピーカから出力する。
【０００３】
Ｄ級増幅器を使用したオーディオ装置として、例えば、特許文献１が公知である。同文献のオーディオ信号増幅装置では、ＡＭラジオをＤ級増幅器により増幅する場合に、Ｄ級増幅器がその作動に伴って中波帯域の高周波信号を発生させ、かかる高周波信号がＡＭチューナーに混入してノイズが発生することを防止するために、ＡＭラジオの受信時はその受信レベルを検出し、検出した受信レベルが所定の基準レベルに対して下であるときは、ＡＢ級増幅器により増幅し、検出した受信レベルが所定の基準レベルに対して上であるときは、Ｄ級増幅器により増幅し、また、ＦＭラジオの受信時、ＣＤ再生信号、ＤＶＤ再生信号、およびＭＤ再生信号の場合にはＤ級増幅器で増幅を行なうものである。
【０００４】
しかしながら、従来のＤ級増幅器を搭載したオーディオ装置においては、オーディオ信号を小音量で再生する場合に、特にハイパワーアンプのような電源電圧の高いアンプでは、Ｄ級増幅器のスイッチングノイズによりリニアリティを悪化させるという問題がある。
【０００５】
【特許文献１】特開２００５−０８０１１４号公報
【発明の開示】
【発明が解決しようとする課題】
【０００６】
本発明は、上記に鑑みてなされたものであり、Ｄ級増幅器を搭載したオーディオ信号増幅装置において、オーディオ信号を小音量で再生する場合にＤ級増幅器のスイッチングノイズによるリニアリティの悪化を防止することが可能なオーディオ信号増幅装置を提供することを目的の一つとする。
【課題を解決するための手段】
【０００７】
上述した課題を解決し、目的を達成するために、本発明は、オーディオ信号をＤ級増幅して出力するＤ級増幅手段と、前記オーディオ信号をアナログ増幅して出力するアナログ増幅手段と、音量レベルを検出する検出手段と、前記検出手段により検出した音量レベルに応じて前記Ｄ級増幅手段または前記アナログ増幅手段を選択して動作させる選択手段と、を備えたことを特徴とする。
【発明を実施するための最良の形態】
【０００８】
以下に添付図面を参照して、この発明に係るオーディオ信号増幅装置の好適な実施の形態を詳細に説明する。なお、この実施の形態によりこの発明が限定されるものではなく、また、実施の形態の中で説明されている特徴の組み合わせのすべてが発明の解決手段に必要であるとは限らない。また、下記実施の形態における構成要素には、当業者が容易に想定できるものまたは実質的に同一のものが含まれる。
【０００９】
本実施の形態に係るオーディオ信号増幅装置は、Ｄ級増幅手段と、アナログ増幅手段と、検出手段と、選択手段とを備えている。Ｄ級増幅手段は、オーディオ信号をＤ級増幅して出力する。アナログ増幅手段は、オーディオ信号をＡ級またはＢ級またはＡＢ級増幅して出力する。検出手段は音量レベルを検出する。選択手段は、検出した音量レベルに応じて、Ｄ級増幅手段またはアナログ増幅手段を選択して動作させ、具体的には、音量レベルが小さい場合にはアナログ増幅手段を選択して動作させる一方、それ以外の場合にはＤ級増幅手段を選択して動作させる。ここで、アナログ増幅とは、Ａ級、Ｂ級、およびＡＢ級増幅のことである。なお、アナログ増幅手段を選択し動作させる際は、Ｄ級増幅手段の動作を停止させることが望ましい。これにより、オーディオ信号を小音量で再生する場合には、Ｄ級増幅器の替わりにアナログ増幅器を使用することにより、Ｄ級増幅器のスイッチングノイズによるリニアリティの悪化を防止することができる。
【００１０】
ここで、Ｄ級増幅手段およびアナログ増幅手段の出力段を共通の回路に搭載することにしてもよい。これにより、回路規模を小規模かつ低コストな構成にすることができる。
【００１１】
また、検出手段および選択手段は、例えば、以下のような構成とすることができる。
【００１２】
検出手段は、音量ボリューム装置の音量ボリュームを検出し、選択手段は、前記音量ボリュームが第１閾値以上の場合にはＤ級増幅手段を選択して動作させる一方、前記音量ボリュームが第１閾値未満の場合にはアナログ増幅手段を選択して動作させることにしてもよい。
【００１３】
検出手段は、アナログ増幅手段への入力レベルを検出し、選択手段は、前記アナログ増幅手段への入力レベルが第２閾値以上の場合にはＤ級増幅手段を選択して動作させる一方、入力レベルが第２閾値未満の場合にはアナログ増幅手段を選択して動作させることにしてもよい。
【００１４】
検出手段は、Ｄ級増幅手段への入力レベルを検出し、選択手段は、Ｄ級増幅手段への入力レベルが第３閾値以上の場合にはＤ級増幅手段を選択して動作させる一方、前記入力レベルが第３閾値未満の場合にはアナログ増幅手段を選択して動作させることにしてもよい。
【００１５】
検出手段は、アナログ増幅手段またはＤ級増幅手段のうち少なくとも一方からの出力レベルを検出し、選択手段は、出力レベルが第４閾値以上の場合には、Ｄ級増幅手段を選択して動作させる一方、出力レベルが第４閾値未満の場合には前記アナログ増幅手段を選択して動作させることにしてもよい。
【００１６】
検出手段は、アナログ増幅手段の出力振幅の歪みを検出し、選択手段は、出力振幅の歪みが第５閾値以上の場合にはＤ級増幅手段を選択して動作させる一方、当該出力振幅の歪みが前記第５閾値未満の場合にはアナログ増幅手段を選択して動作させることにしてもよい。
【００１７】
また、選択手段は、Ｄ級増幅手段またはアナログ増幅手段を選択する場合に、Ｄ級増幅手段またはアナログ増幅手段を選択するための外部コントロール信号に応じて、Ｄ級増幅手段またはアナログ増幅手段を選択して動作させることにしてもよい。利用者は操作部やリモコン等でＤ級増幅手段またはアナログ増幅手段を選択することができる。
【実施例１】
【００１８】
図１は、実施例１に係るオーディオ信号増幅装置１００の構成例を示すブロック図である。実施例１に係るオーディオ信号増幅装置１００は、図１に示すように、Ａ／Ｄ変換器１０１と、Ｄ／Ａ変換器１０２と、ＰＷＭ変調部１０３と、可変抵抗１０４と、アナログアンプ１０５と、クラスＤアンプ１０６と、ＳＷ回路１０７Ａ，Ｂ，Ｃと、スピーカ１０８と、音声ボリューム装置１０９と、出力レベル指示部１１０と、ＶＯＬ位置検出部１１１と、デジタル／アナログ判別部１１２と、切替部１１３とを備えている。
【００１９】
アナログ入力端子からはアナログオーディオ信号を入力して、Ａ／Ｄ変換器１０１および可変抵抗１０４に出力される。ここで、アナログオーディオ信号のソースは、例えば、ＡＭ・ＦＭチューナーである。また、デジタル入力端子からはデジタルオーディオ信号を入力して、Ｄ／Ａ変換器１０２およびＰＷＭ変調部１０３に出力される。ここで、デジタルオーディオ信号のソースは、例えば、ＣＤ，ＭＤ，ＤＡＴ,ＤＶＤ等である。
【００２０】
Ａ／Ｄ変換器１０１は、アナログ信号入力端子から入力されるアナログオーディオ信号をＡ／Ｄ変換してデジタルオーディオ信号としてＰＷＭ変調部１０３に出力する。Ｄ／Ａ変換器１０２は、デジタル信号入力端子から入力されるデジタルオーディオ信号をＤ／Ａ変換してアナログオーディオ信号として可変抵抗１０４に出力する。ＰＷＭ変調部１０３は、入力されるデジタルオーディオ信号をＰＷＭ変調して出力する。可変抵抗１０４は入力されるアナログオーディオ信号を出力レベル指示部１１０から入力される指示信号に応じて振幅を調整して出力する。
【００２１】
ＳＷ回路１０７Ａは、切替部１１３から入力される切替信号に応じて、入力をアナログオーディオ信号とグランドとで切り替える。また、ＳＷ回路１０７Ｂは、切替部１１３から入力される切替信号に応じて、入力をデジタルオーディオ信号とグランドとで切り替える。
【００２２】
アナログアンプ１０５は、入力されるアナログオーディオ信号をアナログ増幅（Ａ級、Ｂ級、またはＡＢ級増幅）して出力する。クラスＤアンプ１０６は、入力されるデジタルオーディオ信号をＤ級増幅して出力する。ＳＷ回路１０７Ｃは切替部１１３から入力される切替信号に応じて、入力をアナログアンプ１０５の出力とクラスＤアンプ１０６の出力とで切り替える。スピーカ１０８は、入力されるアナログアンプ１０５の出力またはクラスＤアンプ１０６の出力を放音する。
【００２３】
音声ボリューム装置１０９は、音量ボリューム位置に応じた音量ボリューム信号を出力する。出力レベル指示部１１０は、音声ボリューム装置１０９から入力される音量ボリューム信号に応じて、指示信号を可変抵抗１０４またはＰＷＭ変調部１０３に出力する。具体的には、出力レベル指示部１１０は、音声ボリューム装置１０９から入力される音量ボリューム信号が所定の閾値以上の場合には、指示信号をＰＷＭ変調部１０３に出力して、ＰＷＭ変調のパルス幅を変更させる。また、出力レベル指示部１１０は、音量ボリューム信号が所定の閾値未満の場合には、指示信号を可変抵抗１０４に出力してその抵抗値を調整する。なお、指示信号は、可変抵抗１０４およびＰＷＭ変調部１０３のいずれか一方に対してのみではなく、両者に対して出力する構成としてもよい。
【００２４】
ＶＯＬ位置検出部１１１は、音声ボリューム装置１０９の音量ボリューム位置を検出してデジタル／アナログ判別部１１２に出力する。
【００２５】
デジタル／アナログ判別部１１２は、ＶＯＬ位置検出部１１１から入力される音量ボリューム位置検出結果に応じて、アナログアンプ１０５またはクラスＤアンプ１０６を示す判別信号（例えば、「０」：アナログアンプ、「１」：クラスＤアンプ）を切替部１１３に出力する。具体的には、デジタル／アナログ判別部１１２は、音量ボリューム位置≧閾値Ｎ１の場合にはクラスＤアンプ１０６を示す判別信号を出力し、音量ボリューム位置＜閾値Ｎ１の場合にはアナログアンプ１０５を示す判別信号を出力する。
【００２６】
切替部１１３は、デジタル／アナログ判別部１１２から入力される判別信号に従って、ＳＷ回路１０７Ａ，Ｂ，Ｃに切替信号を出力する。具体的には、切替部１１３は、デジタル／アナログ判別部１１２から入力される判別信号がアナログアンプを示す場合（例えば、「０」の場合）には、ＳＷ回路１０７Ａに入力をアナログオーディオ信号に切り替えるための切替信号を、ＳＷ回路１０７Ｂに入力をグランドに切り替えるための切替信号を、ＳＷ１０７Ｃに入力をアナログアンプ１０５の出力に切り替えるための切替信号を出力する。他方、切替部１１３は、デジタル／アナログ判別部１１２から入力される判別信号がクラスＤアンプを示す場合（例えば、「１」の場合）には、ＳＷ回路１０７Ａに入力をグランドに切り替えるための切替信号を、ＳＷ回路１０７Ｂに入力をデジタルオーディオ信号に切り替えるための切替信号を、ＳＷ１０７Ｃに入力をクラスＤアンプ１０６の出力に切り替えるための切替信号を出力する。
【００２７】
上記のように構成されるオーディオ信号増幅装置１００の動作を説明する。まず、アナログ入力端子からアナログオーディオ信号が入力した場合は、Ａ／Ｄ変換器１０１によりＡ／Ｄ変換されてデジタルオーディオ信号としてＰＷＭ変調部１０３に出力され、ＰＷＭ変調部１０３でＰＷＭ変調される。また、アナログ入力端子から入力されたアナログオーディオ信号は、可変抵抗１０４で振幅が調整される。他方、デジタル／アナログ判別部１１２は、ＶＯＬ位置検出部１１１から入力されるボリューム位置検出結果に応じて、アナログアンプ１０５またはクラスＤアンプ１０６を示す判別信号が切替部１１３に出力され、切替部１１３は、デジタル／アナログ判別部１１２から入力される判別信号に従って、ＳＷ回路１０７Ａ，Ｂ，Ｃの切り替えを行う。音量ボリューム位置＜閾値Ｎ１の場合には、ＳＷ回路１０７Ａからアナログオーディオ信号がアナログアンプ１０５に入力して、増幅された後、ＳＷ回路１０７Ｃを介してスピーカ１０８に出力される。他方、音量ボリューム位置≧閾値Ｎ１の場合には、ＳＷ回路１０７Ｂからデジタルオーディオ信号がクラスＤアンプ１０６に入力して増幅された後、ＳＷ回路１０７Ｃを介してスピーカ１０８に出力される。
【００２８】
また、デジタル入力端子からデジタルオーディオ信号を入力した場合は、ＰＷＭ変調部１０３に出力され、ＰＷＭ変調部１０３でＰＷＭ変調される。また、デジタルオーディオ信号は、Ｄ／Ａ変換器１０２でＤ／Ａ変換され、そのアナログオーディオ信号は、可変抵抗１０４で振幅が調整される。そして、アナログオーディオ信号が入力した場合と同様に、ボリューム位置＜閾値Ｎ１の場合には、ＳＷ回路１０７Ａからアナログオーディオ信号がアナログアンプ１０５に入力して、増幅された後、ＳＷ回路１０７Ｃを介してスピーカ１０８に出力される。他方、ボリューム位置≧閾値Ｎ１の場合には、ＳＷ回路１０７Ｂからデジタルオーディオ信号がクラスＤアンプ１０６に入力して増幅された後、ＳＷ回路１０７Ｃを介してスピーカ１０８に出力される。
【００２９】
なお、デジタル／アナログ判別部１１２でアナログ判別されているときは、クラスＤドライバー１２２の動作を停止していることが望ましい。ここでの停止は、完全停止でなくてもよく、例えば、待機状態でもよい。これにより、アナログアンプの再生時にクラスＤアンプのスイッチングノイズが混入することを防止することができる。
【００３０】
以上説明したように、実施例１に係るオーディオ信号増幅装置１００によれば、切替部１１３は、音量ボリューム位置＜閾値Ｎ１の場合にはアナログアンプ１０５を選択して動作させる一方、音量ボリューム位置≧閾値Ｎ１の場合にはクラスＤアンプ１０６を動作させることとしたので、オーディオ信号を小音量で再生する場合に、簡単な構成で、Ｄ級増幅器のスイッチングノイズによるリニアリティの悪化を防止することができる。
【００３１】
（変形例１）
図２は、変形例１に係るオーディオ信号増幅装置１００の構成を示すブロック図である。変形例１に係るオーディオ信号増幅装置１００は、上記図１のオーディオ信号増幅装置１００において、アナログアンプ１０５とクラスＤアンプ１０６の出力段を共通にしたアンプ出力段回路（ハイブリットアンプ）１２４を使用したものである。図２において、図１と同等機能を有する部位には同一符号を付し、共通する部分の説明は省略し、異なる点についてのみ説明する。
【００３２】
図２において、アナログ電圧増幅段１２１は、入力されるアナログオーディオ信号を増幅して出力する。クラスＤドライバー１２２は、入力されるデジタルオーディオ信号に応じた駆動信号を生成して出力する。切替部１１３は、デジタル／アナログ判別部１１２から入力される判別信号に従って、ＳＷ回路１２３に切替信号を出力する。具体的には、切替部１１３は、デジタル／アナログ判別部１１２から入力される判別信号がアナログアンプを示す場合（例えば、「０」の場合）には、ＳＷ回路１２３に入力をアナログ電圧増幅段１２１に切り替えるための切替信号を、判別信号がクラスＤアンプを示す場合（例えば、「１」の場合）には、ＳＷ回路１２３に入力をクラスＤドライバー１２２に切り替えるための切替信号を出力する。スイッチ回路１２３は、切替部１１３の切替信号に応じて、アナログ電圧増幅段１２１とクラスＤドライバー１２２との入力を切り替える。アンプ出力段回路１２４は、アナログ電流増幅／Ｄ級増幅動作を行う回路であり、ＳＷ回路１２３でアナログ電圧増幅段１２１が選択された場合には、アナログ電流増幅動作を行って増幅出力をスピーカ１０８に出力し、また、クラスＤドライバー１２２が選択された場合には、Ｄ級増幅動作を行って増幅出力をスピーカ１０８に出力する。
【００３３】
以上説明したように、変形例１に係るオーディオ信号増幅装置１００によれば、アナログアンプ１０５とクラスＤアンプ１０６の出力段を共通にしたアンプ出力段回路（ハイブリットアンプ）１２４を使用したので、回路構成を小規模かつ低コストな構成とすることができる。
【００３４】
（変形例２）
図３は、変形例２に係るオーディオ信号増幅装置１００の構成を示すブロック図である。変形例２に係るオーディオ信号増幅装置１００は、上記図１のオーディオ信号増幅装置１００のＤ／Ａ変換器１０２を、ＰＷＭ変調部１０３の前段に配置する替わりに、ＰＷＭ変調部１０３と可変抵抗１０４間に配置したものである。このように、Ｄ／Ａ変換器１０２をＰＷＭ変調部１０３の後段に配置してＰＷＭ変調後のデジタルオーディオ信号をＤ／Ａ変換することとしたので、Ｄ／Ａ変換器の構成を少なくすることができ、より安価なものにすることができる。
【実施例２】
【００３５】
図４は、実施例２に係るオーディオ信号増幅装置２００の構成を示すブロック図である。上記実施例１に係るオーディオ信号増幅装置１００は音量ボリューム位置に応じてアナログアンプ１０５とクラスＤアンプ１０６とを切り替える構成である。これに対して、実施例２に係るオーディオ信号増幅装置２００は、アナログアンプ１０５の出力レベルに応じて、アナログアンプ１０５とクラスＤアンプ１０６を切り替える構成である。図４において、図１と同等機能を有する部位には同一符号を付し、共通する部分の説明は省略し、異なる点についてのみ説明する。
【００３６】
出力レベル検出部２０１は、アナログアンプ１０５の出力レベルを検出してデジタル／アナログ判別部１１２に出力する。ここで、アナログアンプ１０５の出力レベルは音量に対応したものとなる。デジタル／アナログ判別部１１２は、アナログアンプ１０５の出力レベルに応じて、アナログアンプ１０５またはクラスＤアンプ１０６を示す判別信号（例えば、「０」：アナログアンプ、「１」：クラスＤアンプ）を切替部１１３に出力する。具体的には、デジタル／アナログ判別部１１２は、アナログアンプ１０５の出力レベル≧閾値Ｎ２の場合にはクラスＤアンプ１０６を示す判別信号を出力し、アナログアンプ１０５の出力レベル＜閾値Ｎ２の場合にはアナログアンプ１０５を示す判別信号を出力する。切替部１１３は、デジタル／アナログ判別部１１２から入力される判別信号に従って、ＳＷ回路１０７Ａ，Ｂ，Ｃに切替信号を出力する。
【００３７】
以上説明したように、実施例２に係るオーディオ信号増幅装置２００によれば、切替部１１３は、アナログアンプ１０５の出力レベル＜閾値Ｎ２の場合にはアナログアンプ１０５を選択して動作させる一方、アナログアンプ１０５の出力レベル≧閾値Ｎ２の場合にはクラスＤアンプ１０６を選択して動作させることとしたので、オーディオ信号を小音量で再生する場合に、簡単な構成で、Ｄ級増幅器のスイッチングノイズによるリニアリティの悪化を防止することができる。
【００３８】
なお、実施例２では、アナログアンプ１０５の出力レベルを検出してアンプを選択することとしたが、本発明はこれに限られるものではなく、アナログアンプ１０５の入力レベルを検出することにしてもよい。また、アナログアンプ１０５の替わりにクラスＤアンプ１０６の入力または出力レベルを検出することにしてもよい。すなわち、アナログアンプ１０５およびクラスＤアンプ１０６の入力・出力レベルの一方または両方を検出して、その検出結果に基づいてアンプを選択することにしてもよい。
【実施例３】
【００３９】
図５は、実施例３に係るオーディオ信号増幅装置３００の構成を示すブロック図である。実施例３に係るオーディオ信号増幅装置３００は、アナログアンプ１０５の出力振幅の歪みを検出し、出力振幅の歪みに応じて、アナログアンプ１０５とクラスＤアンプ１０６を切り替える構成である。図５において、図１と同等機能を有する部位には同一符号を付し、共通する部分の説明は省略し、異なる点についてのみ説明する。
【００４０】
歪み検出部３０１は、アナログアンプ１０５の出力振幅の歪みを検出してデジタル／アナログ判別部１１２に出力する。ここで、アナログアンプ１０５の出力振幅の歪みは音量に対応したものとなる。デジタル／アナログ判別部１１２は、アナログアンプ１０５の出力振幅の歪みに応じて、アナログアンプ１０５またはクラスＤアンプ１０６を示す判別信号（例えば、「０」：アナログアンプ、「１」：クラスＤアンプ）を切替部１１３に出力する。具体的には、デジタル／アナログ判別部１１２は、アナログアンプ１０５の出力振幅の歪み≧閾値Ｎ３の場合にはクラスＤアンプ１０６を示す判別信号を出力し、アナログアンプ１０５の出力振幅の歪み＜閾値Ｎ３の場合にはアナログアンプ１０５を示す判別信号を出力する。切替部１１３は、デジタル／アナログ判別部１１２から入力される判別信号に従って、ＳＷ回路１０７Ａ，Ｂ，Ｃに切替信号を出力する。
【００４１】
以上説明したように、オーディオ信号増幅装置３００によれば、切替部１１３は、アナログアンプ１０５の出力振幅の歪み＜閾値Ｎ３の場合にはアナログアンプ１０５を選択して動作させる一方、アナログアンプ１０５の出力振幅の歪み≧閾値Ｎ３の場合にはクラスＤアンプ１０６を選択して動作させることとしたので、オーディオ信号を小音量で再生する場合に、簡単な構成で、Ｄ級増幅器のスイッチングノイズによるリニアリティの悪化を防止することができる。なお、実施例３においても上記変形例１および変形例２の構成を採用することにしてもよい。
【実施例４】
【００４２】
図６は、実施例４に係るオーディオ信号増幅装置４００の構成を示すブロック図である。実施例４に係るオーディオ信号増幅装置４００は、不図示の操作部に設けられたアナログアンプ１０５またはクラスＤアンプ１０６を選択するためのスイッチのその操作に応じた外部コントロール信号に応じて、アナログアンプ１０５とクラスＤアンプ１０６を切り替える構成である。図６において、図１と同等機能を有する部位には同一符号を付し、共通する部分の説明は省略し、異なる点についてのみ説明する。
【００４３】
不図示の操作部には、アナログアンプ１０５とクラスＤアンプ１０６とを切り替えるためのスイッチが設けられており、そのスイッチ操作に応じた外部コントロール信号がコントロール信号検出部４０１に入力される。利用者はこのスイッチで、音量が小さい場合にはアナログアンプ１０５を選択し、それ以外の場合はクラスＤアンプ１０６を選択する。
【００４４】
コントロール信号検出部４０１は、外部コントロール信号を検出してデジタル／アナログ判別部１１２に出力する。デジタル／アナログ判別部１１２は、外部コントロール信号に応じて、アナログアンプ１０５またはクラスＤアンプ１０６を示す判別信号（例えば、「０」：アナログアンプ、「１」：クラスＤアンプ）を切替部１１３に出力する。具体的には、デジタル／アナログ判別部１１２は、外部コントロール信号がクラスＤアンプを指示する場合にはクラスＤアンプ１０６を示す判別信号を出力し、外部コントロール信号がアナログアンプを示す場合には、アナログアンプ１０５を示す判別信号を出力する。切替部１１３は、デジタル／アナログ判別部１１２から入力される判別信号に従って、ＳＷ回路１０７Ａ，Ｂ，Ｃに切替信号を出力する。なお、ここでは、スイッチの操作に応じた外部コントロール信号を入力する場合について説明したが、本発明はこれに限られるものではなく、リモコン等から外部コントロール信号を入力する構成としてもよい。
【００４５】
以上説明したように、実施例４に係るオーディオ信号増幅装置４００によれば、切替部１１３は、外部コントロール信号に応じて、アナログアンプ１０５とクラスＤアンプ１０６を切り替えて動作させることとしたので、オーディオ信号を小音量で再生する場合に、簡単な構成で、Ｄ級増幅器のスイッチングノイズによるリニアリティの悪化を防止することができる。なお、実施例４においても上記変形例１および変形例２の構成を採用することにしてもよい。
【産業上の利用可能性】
【００４６】
以上のように、本発明に係るオーディオ信号増幅装置は、Ｄ級増幅器を搭載したオーディオ装置に広く適用可能である。
【図面の簡単な説明】
【００４７】
【図１】実施例１に係るオーディオ信号増幅装置の構成例を示すブロック図である。
【図２】変形例１に係るオーディオ信号増幅装置の構成例を示すブロック図である。
【図３】変形例２に係るオーディオ信号増幅装置の構成例を示すブロック図である。
【図４】実施例２に係るオーディオ信号増幅装置の構成例を示すブロック図である。
【図５】実施例３に係るオーディオ信号増幅装置の構成例を示すブロック図である。
【図６】実施例４に係るオーディオ信号増幅装置の構成例を示すブロック図である。
【符号の説明】
【００４８】
１００  オーディオ信号増幅装置
１０１  Ａ／Ｄ変換器
１０２  Ｄ／Ａ変換器
１０３  ＰＷＭ変調部
１０４  可変抵抗
１０５  アナログアンプ
１０６  クラスＤアンプ
１０７Ａ，Ｂ，Ｃ  ＳＷ回路
１０８  スピーカ
１０９  音声ボリューム装置
１１０  出力レベル指示部
１１１  ＶＯＬ位置検出部
１１２  デジタル／アナログ判別部
１１３  切替部
１２１  アナログ電圧増幅段
１２２  クラスＤドライバー
１２３  ＳＷ回路
１２４  アンプ出力回路
２００  オーディオ信号増幅装置
２０１  出力レベル検出部
３００  オーディオ信号増幅装置
３０１  歪み検出部
４００  オーディオ信号増幅装置
４０１  コントロール信号検出部
【図１】
2007096507.tif 000003
【図２】
2007096507.tif 000004
【図３】
2007096507.tif 000005
【図４】
2007096507.tif 000006
【図５】
2007096507.tif 000007
【図６】
2007096507.tif 000008